(57)【要約】セルラ無線通信システムは、移動体通信装置と通信を行う基地局によりカバーされる複数のセルを持つ。移動体通信装置は、アイドルハンドオフ方法を実施する。このアイドルハンドオフ方法においては、移動体通信装置が、第１基地局からページングメッセージを受信し、該第１基地局とのクリティカルなアイドルモードプロセスが他に何も実施されていないことが確かめられた場合に該第１基地局から第２基地局へのアイドルハンドオフを開始する。
2004505522.tif 000002
【特許請求の範囲】
【請求項１】
複数の基地局を有するセルラ無線通信システムに具備される移動体通信装置におけるアイドルモードハンドオフ方法であり、
−　第１基地局からページングメッセージを受信し、
−　前記第１基地局との他のアイドルモードプロセスが実施されていないことが確かめられた場合に該第１基地局から第２基地局へのアイドルモードハンドオフプロセスを開始する方法。
【請求項２】
請求項１に記載の方法において、
−　前記第１基地局と関連する第１ページングチャネルの特性である第１の信号品質の目安を決定し、前記ページングメッセージは、該第１ページングチャネルを介して受信され、
−　前記第２基地局と関連する第２ページングチャネルの特性である第２の信号品質の目安を決定し、
−　前記第１の信号品質の目安が、通信を持続するための最低の品質よりも悪いことが確かめられた場合に前記アイドルモードハンドオフプロセスを実際に実施する方法。
【請求項３】
請求項２に記載の方法において、
前記第１及び前記第２の信号品質の目安は、ページングメッセージ誤り率である方法。
【請求項４】
請求項３に記載の方法において、
前記ページングメッセージ誤り率は、所与の期間でのランニング平均として決定される方法。
【請求項５】
請求項２に記載の方法において、
前記第１及び前記第２の信号品質の目安は、所与の期間での有効なページング信号の受信及び無効なページング信号の受信の間の間隔に基づいて決定される方法。
【請求項６】
請求項２に記載の方法において、
前記第１及び前記第２の信号品質の目安は、信号強度である方法。
【請求項７】
請求項２に記載の方法において、
前記無線通信システムは、符号分割多元接続（ＣＤＭＡ）システムであり、前記ページングチャネルは、前記第１及び前記第２基地局の各々のパイロット信号におけるスロッテッドモードで送信されるチャネルである方法。
【請求項８】
請求項２に記載の方法において、
前記アイドルモードハンドオフプロセスは、より低レイヤのソフトウェアプロセスを有し、前記他のアイドルモードプロセスは、実施される場合、より高レイヤのソフトウェアレイヤプロセスであり、前記より低レイヤのソフトウェアプロセスは、前記第１及び前記第２の信号品質の目安を取得し、前記より高レイヤのソフトウェアプロセスは、上記取得された第１及び第２の信号品質の目安に基づいて前記アイドルモードハンドオフプロセスを開始する方法。
【請求項９】
請求項８に記載の方法において、
前記より高レイヤのソフトウェアプロセスは、インタープロセス通信を介して前記取得された第１及び第２の信号品質の目安を取り出す方法。
【請求項１０】
請求項８に記載の方法において、
前記より高レイヤのソフトウェアプロセスは、コール制御プロセスである方法。
【請求項１１】
請求項７に記載の方法において、
前記移動体通信装置は、前記スロッテッドモードで送信されるチャネルの各受信の間スリープモードをとる方法。
【請求項１２】
−　セルをカバーする基地局を持つ複数の当該セルと、
−　第１基地局からページングメッセージを受信する手段を有する移動体通信装置であって、前記第１基地局との他のアイドルモードプロセスが実施されていないことが当該移動体通信装置により確かめられた場合に該第１基地局から第２基地局へのアイドルモードハンドオフプロセスを開始する手段を有する移動体通信装置とを有するセルラ無線通信システム。
【請求項１３】
セルをカバーする基地局を備える複数の当該セルを持つセルラ無線通信システムにおいて用いられる移動体通信装置であって、
−　第１基地局からページングメッセージを受信する手段と、
−　前記第１基地局との他のアイドルモードプロセスが実施されていないことが当該移動体通信装置により確かめられた場合に該第１基地局から第２基地局へのアイドルモードハンドオフプロセスを開始する手段とを有する移動体通信装置。
【請求項１４】
請求項１３に記載の移動体通信装置において、
−　前記第１基地局と関連する第１ページングチャネルの特性である第１の信号品質の目安を決定する手段と、
−　前記第２基地局と関連する第２ページングチャネルの特性である第２の信号品質の目安を決定する手段と、
−　前記第１の信号品質の目安が、通信を持続するための最低の品質よりも悪いことが確かめられた場合に前記アイドルモードハンドオフプロセスを実際に実施する手段とを有し、
前記ページングメッセージは、前記第１ページングチャネルを介して受信される移動体通信装置。
【請求項１５】
請求項１４に記載の移動体通信装置において、
前記第１及び前記第２の信号品質の目安は、ページングメッセージ誤り率である移動体通信装置。
【請求項１６】
請求項１５に記載の移動体通信装置において、
所与の期間でのランニング平均として前記ページングメッセージ誤り率を決定するように構成される移動体通信装置。
【請求項１７】
請求項１４に記載の移動体通信装置において、
所与の期間での有効なページング信号の受信及び無効なページング信号の受信の間の間隔に基づいて前記第１及び前記第２の信号品質の目安を決定するように構成される移動体通信装置。
【請求項１８】
請求項１４に記載の移動体通信装置において、
前記第１及び前記第２の信号品質の目安は、信号強度である移動体通信装置。
【発明の詳細な説明】
【０００１】
【発明の属する技術分野】
本発明は、基地局を備えるセルラ無線通信システムに具備される移動体通信装置におけるアイドルモードハンドオフ方法であって、基地局の介入がない自律的なハンドオフ方法であるアイドルモードハンドオフ方法に関する。
【０００２】
【従来の技術】
セルラ無線通信システムは良く知られている。斯様なセルラ無線通信システムは、共だって所与の地理学的領域をカバーする、セル即ち無線ゾーンを有する。これらセルは、制御及び通信チャネルを介して、前記セルラ無線通信システムに具備される移動体通信装置との通信リンクを確立及び維持し、確立された通信リンクを介して該移動体通信装置と通信を行う基地局を含む。
【０００３】
セルラ無線通信システムの１つの形式は、ＴＩＡ／ＥＩＡ−９８−Ｃ標準規格書”ＴＲ４５−Ｒｅｃｏｍｍｅｎｄｅｄ Ｍｉｎｉｍｕｍ Ｐｅｒｆｏｒｍａｎｃｅ Ｓｔａｎｄａｒｄｓ ｆｏｒ Ｄｕａｌ−Ｍｏｄｅ Ｓｐｒｅａｄ Ｓｐｅｃｔｒｕｍ Ｍｏｂｉｌｅ Ｓｔａｔｉｏｎｓ”， Ｊｕｎｅ １６， １９９９に記載されるようなＣＤＭＡ（Ｃｏｄｅ Ｄｉｖｉｓｉｏｎ Ｍｕｌｔｉｐｌｅ Ａｃｃｅｓｓ：符号分割多元接続）システムである。斯かるシステム、またその他のシステムにおいても、無線基地局は、スロッテッドモード送受信を用いて移動体通信装置と通信を行うことができる。前記標準規格書のセクション３、３−１頁乃至３−３２頁に、ＣＤＭＡ受信機の最低標準（ｍｉｎｉｍｕｍ ｓｔａｎｄａｒｄｓ）、とりわけ、非スロッテッドモード送受信及びスロッテッドモード送受信の両方に係る、無線基地局の介入なしに移動局即ち移動体通信装置により自律的に実施されるアイドルモードハンドオフプロセスが述べられている。移動局がアイドル状態にある場合、スロッテッドモードにおいて、移動局は、割当てられたスロットの中で現在のＣＤＭＡ周波数割当における最強のパイロットチャネル信号を検索する。移動局は、現在監視している信号よりも十分に強いパイロットチャネル信号を検出する場合アイドルハンドオフが起きるべきであると決定する。移動局は、隣接セットにおけるパイロットの、即ち、隣接する基地局のＥＣ／Ｉ０が、アクティブセットにおけるパイロットの、即ち、現在の基地局のＥＣ／Ｉ０を３ｄＢ越えるたびにアイドルハンドオフを実施する。ＥＣ／Ｉ０はパイロット強度であり、ＥＣはチップエネルギであり、Ｉ０は干渉（ｉｎｔｅｒｆｅｒｅｎｃｅ）である。アイドルモードにある場合、移動局は、該移動局と同期がとられている現在の基地局からページングメッセージを受信する。斯かるページングメッセージは、パイロット信号のスロッテッドページングチャネルで送信される。ページングメッセージの各受信の合間、電力をセーブするために、移動局は、スリープモードをとる。斯様なＣＤＭＡ移動局においては、いわゆるサーチャが、アクティブセット及び隣接セットの両方に係り、解明された基地局のパイロット信号についてのパイロット信号強度を決定する。アイドルハンドオフは、決定されたパイロット信号強度を用いて、現在の基地局から他の基地局へのハンドオフを実施する。
【０００４】
ＰＣＴ特許出願公開第ＷＯ９９／４０７４５号に、音声・データ混合移動体無線システムにおける、コールモードハンドオフ方法が開示されている。移動局がデータをシステムに送信する場合、ハンドオフは阻止される。阻止（ｂｌｏｃｋｉｎｇ）は、データコールの終了の後、又は所定の時間の後、例えば、ファックスのページ全体の送信の後中止される。コールモードハンドオフは、移動局とシステムとの間の相互作用を必要とし、即ち、自律的ではない。
【０００５】
【発明が解決しようとする課題】
目的は、移動体通信装置においてシステムへのアクセスを必要とするクリティカルなジョブが中断されるのを回避するアイドルモードハンドオフ方法を提供することにある。
【０００６】
本発明の目的は、無条件の（ｕｎｑｕａｌｉｆｉｅｄ）ハンドオフの阻止を回避することにある。
【０００７】
本発明の他の目的は、パイロット信号サーチプロセスにおけるアーチファクトに起因するスプリアスハンドオフを回避し、これにより、システムを逸してしまうこと及び時間を費やす再取得プロセス（ｒｅａｃｑｕｉｓｉｔｉｏｎ ｐｒｏｃｅｓｓ）を回避するアイドルモードハンドオフ方法を提供することにある。
【０００８】
本発明の更なる目的は、移動局が、システムへのアクセスを必要とするクリティカルなアイドルモードプロセスを実施する一方、フェージング伝搬状況下で多数の強いパイロットがある位置にある場合に、非常に素早く連続的にアイドルハンドオフを実施することを回避するアイドルモードハンドオフ方法を提供することにある。
【０００９】
本発明の更に他の目的は、パイロット信号の信号品質の目安（ｓｉｇｎａｌ ｑｕａｌｉｔｙ ｍｅａｓｕｒｅｓ）を考慮したアイドルハンドオフを提供することにある。
【００１０】
【課題を解決するための手段】
本発明によれば、複数の基地局を有するセルラ無線通信システムに具備される移動体通信装置における、
−　第１基地局からページングメッセージを受信し、
−　前記第１基地局との他のアイドルモードプロセスが実施されていないことが確かめられた場合に該第１基地局から第２基地局へのアイドルハンドオフプロセスを開始するアイドルモードハンドオフ方法が提供される。
【００１１】
他のアイドルモードプロセスは、システムへのアクセスを必要とする、登録（ｒｅｇｉｓｔｒａｔｉｏｎ）又は認可（ａｕｔｈｏｒｉｚａｔｉｏｎ）タスク等であり得る。本発明は、クリティカルな他のアイドルモードタスクが中断されることが確実にないようにしている。
【００１２】
所与のセル内での無条件のハンドオフの阻止が回避されるので、システムを逸すること又は通話（ｃａｌｌ）を落としてしまう危険性が著しく低減される。とりわけＣＤＭＡシステムにおいては、システムの再取得は、時間を費やすプロセスであって、回避されるべきである。なぜなら、システムの再取得は、第１に、移動体通信装置のユーザをいらいらさせるものであり、第２に、移動体通信装置のバッテリを消耗させるからである。
【００１３】
好ましくは、ページング信号と関連付けられる信号品質の目安、ページングメッセージ誤り率も考慮される。これと共に、信号品質の目安の取得を実施する際にアイドルハンドオフプロセスを援助するより低いソフトウェアレイヤよりも高いソフトウェアレイヤにおけるより高レイヤのソフトウェアプロセスに、ハンドオフが必要かどうか通知される。好ましくは、取得された信号品質の目安は、インタープロセス通信（ｉｎｔｅｒ−ｐｒｏｃｅｓｓ ｃｏｍｍｕｎｉｃａｔｉｏｎ）を介して上記より高レイヤのソフトウェアプロセスに与えられる。
【００１４】
信号品質の目安は、種々のようにして、例えば、ページングメッセージ誤り率に基づいて、有効なページングメッセージを受信する前連続して受信された無効なページングメッセージの数の観点から経過した時間に基づいて、または信号強度に基づいて決定されても良い。種々の方法が、ページングチャネルのリンク品質についての目安を提供する。
【００１５】
【発明の実施の形態】
図を通して、同様の参照数字は、同様のフィーチャに用いられている。
【００１６】
図１は、本発明によるセルラ無線通信システム１を概略的に示す。システム１は、無線ゾーン２〜１０を有し、各無線ゾーンは、それぞれ、無線基地局１１〜１９を有している。無線ゾーン７は、移動体通信装置２０を有している。移動体通信装置２０は、セルホン即ちハンドセット、セルホンを含むＰＤＡ（Ｐｅｒｓｏｎａｌ Ｄｉｇｉｔａｌ Ａｓｓｉｓｔａｎｔ：個人用携帯型情報端末）、または如何なる他の適当な移動体通信装置であっても良い。所与の例においては、システム１は、スロッテッド送受信を備える直接拡散方式のスペクトル拡散ＣＤＭＡ（ｄｉｒｅｃｔ ｓｅｑｕｅｎｃｅ ｓｐｒｅａｄ ｓｐｅｃｔｒｕｍ ＣＤＭＡ）システムである。一群の無線基地局が、スイッチングセンタ（図示せず）に結合され、これらスイッチングセンタは、互いに結合されている。前述したＴＩＡ−ＥＩＡ−９８−Ｃに規定されるＣＤＭＡシステムであり得る、斯様なセルラ通信システム１は、当該技術分野で良く知られている。移動体通信装置２０は、本発明による自律的アイドルハンドオフ方法を実施するように構築されている。
【００１７】
図２は、本発明による移動体通信装置２０のブロック図を示す。移動体通信装置２０は、アイドルモードで動作し、システム１に具備される無線基地局からページングメッセージを受信する、直接拡散方式のスペクトル拡散ＣＤＭＡ装置である。スロットで送信されるページングメッセージの各受信の合間、装置２０は、スリープモードをとる。所与の例においては、初め装置２０は、無線基地局１６と同期がとられる。装置２０は、ページングメッセージが送信されるページングチャネルのパイロット信号を監視する。図１に示されるように、無線基地局１２、１３、１５、１７、１８及び１９は、隣接している基地局であり、これら基地局から、前記装置は、恐らくはパイロット信号を受信する。移動体通信装置２０は、アンテナ３１に結合される無線送受信フロントエンド３０を有する。送信ブランチが、Ｔｘにより示されている。本発明の目的のために、受信ブランチしか詳細に示されていない。無線フロントエンド３０は、受信した無線周波数信号からベースバンド信号を得るためダウンミキシング手段３２に結合されている。このダウンミキシング手段は、複合スペクトル拡散信号を供給する。簡単にするために、信号Ａ／Ｄコンバータ３３しか、ダウンミックスされたスペクトル拡散信号をサンプリングするために示されていない。装置２０は更に、サンプリングされたスペクトル拡散信号を処理するプログラムされた処理手段を有する。図示のようなＣＤＭＡ移動体通信装置２０においては、斯かるプログラムされた処理手段は、通常、マルチパス受信信号を分解し、マルチフィンガＲａｋｅ受信機（ｍｕｌｔｉｐｌｅ ｆｉｎｇｅｒ ｒａｋｅ ｒｅｃｅｉｖｅｒ）３５にタイミング信号を供給するサーチャ３４、プロセッサ３６、揮発性データを含むＲＡＭ３７、及びプログラムされたＲＯＭ３８を有する。ダイバーシチ結合（ｄｉｖｅｒｓｉｔｙ ｃｏｍｂｉｎｉｎｇ）を与えるＲａｋｅ受信機３５は、シンボル検出器３９に結合されている。前記処理手段は、本発明による自律的アイドルハンドオフ方法を実施するようにプログラムされている。
【００１８】
図３は、本発明を説明するためのソフトウェア階層モデルを示す。斯かる階層モデルは、より低い物理レイヤ、より高いデータリンクレイヤ及びより一層高いレイヤを規定する、良く知られているＯＳＩ（Ｏｐｅｎ Ｓｙｓｔｅｍｓ Ｉｎｔｅｒｃｏｎｎｅｃｔｉｏｎ：開放型システム間相互接続）階層モデルに基づく。論理的な観点から、端末及びネットワーク等の物理エンティティに規定される各レイヤは、互いにピアツーピア通信を実施する。物理的な観点から、物理エンティティ内で、各レイヤは、いわゆるプリミティブを受け渡すことにより互いに通信を行う。移動体通信装置２０内のレイヤＬ１Ａ、Ｌ２Ａ及びＬ３Ａが示され、該移動体通信装置２０にページングメッセージを現在送信している基地局１６内のレイヤＬ１Ｂ、Ｌ２Ｂ及びＬ３Ｂが示されている。レイヤＬ１Ａ及びＬ１Ｂはいわゆる物理レイヤであり、レイヤＬ２Ａ及びＬ２Ｂはいわゆるデータリンクレイヤであり、レイヤＬ３Ａ及びＬ３Ｂは、コール制御レイヤである。サーチャ３４からＳ／Ｎ比を得る等のハンドオフアクティビティの少なくとも一部が、Ｌ１Ａのソフトウェアプロセスとして実施される。コール制御レイヤのソフトウェアプロセスは、システム１への登録及び該システム１による認証（ａｕｔｈｅｎｔｉｃａｔｉｏｎ）等のメッセージ処理を実施する。斯様なアイドルモードの登録及び認証プロセスは、クリティカルなプロセスであり、中断されるべきではない。アイドルハンドオフは、移動体通信装置２０により実施されるレイヤ３（Ｌ３Ａ）のソフトウェアプロセスである。本発明によれば、アイドルハンドオフは、クリティカルなアイドルモードプロセスが移動体通信装置２０において実行中であるかどうかを確かめ、好ましくは、アイドルモードハンドオフを実際に実施する前にリンク品質をチェックする。
【００１９】
図４は、本発明によるより低レイヤ及びより高レイヤのソフトウェアプロセスを説明するプロセシング図（ｐｒｏｃｅｓｓｉｎｇ ｄｉａｇｒａｍ）である。種々のレイヤＬ１Ａ、Ｌ２Ａ及びＬ３Ａと通信し、レイヤ間でメッセージを交換するセットメンテナンスＣＰＵ（Ｓｅｔ Ｍａｉｎｔｅｎａｎｃｅ ＣＰＵ：ＳＭＣ）ソフトウェアが示されている。ＳＭＣは、ハンドオフ検出タスクを実施し、サーチャ出力をソフトウェアメイルボックス５０を介して、即ち、インタープロセス通信を介してコール制御レイヤＬ３Ａに受け渡す。サーチャ出力は、アクティブセット及び隣接セットのパイロット信号強度ＥＣ／Ｉ０を有する。サーチャ出力が供されることに加えて、コール制御レイヤ３のソフトウェアプロセスは、ページングメッセージが移動体通信装置２０に送信されているページングチャネルにおける信号特性である信号品質の目安を提供するレイヤＬ２Ａに問い合わせる。斯かる信号品質の目安は、ページング信号のメッセージ誤り率（ＭＥＲ）、又はパイロット信号強度等のリンク特性である他の信号品質の目安であっても良い。
【００２０】
図５は、ページング信号のスロッテッドモード受信を説明する図である。スロット６０及び６１が示され、該スロット中で、移動体通信装置は、システム１からページングメッセージを受信する。ページングメッセージの各受信の合間、移動体通信装置はスリープモードをとる。
【００２１】
図６は、本発明によるサーチャ３４によるアクティブセット及び隣接セットの取得を示している。ｔ＝ｔ０の時点において、移動体通信装置２０は、最良のパイロット信号、アクティブセット７０を現在提供している無線基地局１６と同期がとられる。移動体通信装置２０は、無線基地局１６からページングメッセージを受信する。更に、無線基地局１７及び１９からの、サーチャ３４により解明されたパイロット信号の隣接セット７１及び７２が示されている。ｔ＝ｔ１の時点において、サーチャ３４は、基地局１６、１７及び１９からのＥＣ／Ｉ０を提供し、基地局１７からのＥＣ／Ｉ０が最良の信号であり、故に、ハンドオフ候補８１が、より良いページングメッセージ誤り率を提供するであろう。
【００２２】
図７は、本発明によるアイドルハンドオフを説明するためのフローチャートである。ブロック９０において、サーチャ３４は周期的に隣接セット検索を実施する。ブロック９１において、隣接セットにおけるパイロット信号がアクティブセットのパイロット信号よりも強いかどうかテストされる。そうではない場合、ブロック９０に戻る。そうである場合、アクティブセット検索が実施される。ブロック９３において、隣接セットにおけるハンドオフ候補が、ブロック９２で取得されるアクティブセットにおけるパイロット信号よりも強いかどうかテストされる。そうではない場合、ブロック９０に戻る。そうである場合、ブロック９４において、クリティカルなレイヤ３ジョブがペンディングであるかどうかテストされる。そうである場合、ブロック９５において、ページングチャネルメッセージ誤り率が決定され、ブロック９６において、決定されたページングメッセージ誤り率が閾値に対してテストされる。ページングメッセージ誤り率が閾値を越える場合、ブロック９７において、アイドルハンドオフが、取得されたハンドオフ候補の基地局に対して実施される。アイドルハンドオフは、クリティカルなレイヤー３ジョブがペンディングではなかったことがブロック９４において確かめられる場合にも実施される。決定されたページングメッセージ誤り率が閾値を越えない場合、周期的な隣接セット検索に戻る。ＣＤＭＡシステムにおいては、通例、等化（ｅｑｕａｌｉｚａｔｉｏｎ）はなされず、故に、ページングメッセージ誤り率、即ち、ビット誤り率は良好なリンク品質の判定基準となる。他のシステムにおいては、信号強度が、良好なリンク品質の判定基準になり得るであろう。
【００２３】
図８は、ハンドオフを決定する信号品質の目安の取得に係る第１実施例を示す。一連の受信したページングメッセージ１００が示され、有効なページングメッセージは“Ｖ”で示され、無効なページングメッセージは“Ｉ”で示されている。所与の期間にわたり、窓１０１内に、有効な及び無効なページングメッセージのランニング平均（ｒｕｎｎｉｎｇ ａｖｅｒａｇｅ）が保持され、これに基づいて、レイヤ３ソフトウェアプロセスは、ページングメッセージ誤り率が所与の閾値を越えるかどうか決定する。無効なメッセージの数に対する無効なメッセージの数に有効なメッセージの数を足した和の比率（Ｉ／（Ｉ＋Ｖ））が窓１０１で規定される。比率０／（０＋４）＝０／４が示されている。右に位置が１つシフトされた窓を用いると、比率は、１／（１＋３）＝１／４に変わる。閾値は、例えば、２／４とすることができる。
【００２４】
図９は、ハンドオフを決定する信号品質の目安の取得に係る第２実施例を示す。この実施例においては、有効なページングメッセージ直後最初の無効なページングメッセージを受信した後の所与の間隔Ｔにわたり、斯様に無効なページングメッセージを受信する状況が続くかどうか決定される。間隔Ｔは、経時タイマにより測定され得る。無効なページングメッセージを依然受信したまま、タイマが経過し終わりに近づくほど、システムを逸し、再取得を必要とする可能性が増す。リンク品質を決定するための閾値は、経過時間におけるパーセンテージ、例えば５０％として設定され得る。これは、クリティカルなレイヤ３タスクを中断する“パニック（ｐａｎｉｃ）”ハンドオフは、システムを再取得することよりも破壊的ではないと言う洞察に基づく。ＣＤＭＡシステムにおいて、システムの再取得は、時間を費やすタスクであり、３〜７秒かかるであろう。
【００２５】
前述のことに鑑み、種々の変形が、これに付随する請求項によって規定されるような本発明の精神及び範囲内でなされ得るものであり、従って、本発明は、前述の所与の例に限定されないことは当業者にとって明らかであろう。“有する”なる語は、請求項に列挙されたもの以外の部品又は工程の存在を除外するものではない。
【図面の簡単な説明】
【図１】本発明によるセルラ無線通信システムを概略的に示す。
【図２】本発明による移動体通信装置のブロック図を示す。
【図３】本発明を説明するためのソフトウェア階層モデルを示す。
【図４】本発明によるより低レイヤ及びより高レイヤのソフトウェアプロセスを説明するプロセシング図である。
【図５】ページング信号のスロッテッドモード受信を説明する図である。
【図６】本発明によるアクティブセット及び隣接セットのサーチャによる取得を示す。
【図７】本発明によるアイドルハンドオフを説明するためのフローチャートである。
【図８】ハンドオフを決定する信号品質の目安の取得に係る第１実施例を示す。
【図９】ハンドオフを決定する信号品質の目安の取得に係る第２実施例を示す。
【図１】
2004505522.tif 000003
【図２】
2004505522.tif 000004
【図３】
2004505522.tif 000005
【図４】
2004505522.tif 000006
【図５】
2004505522.tif 000007
【図６】
2004505522.tif 000008
【図７】
2004505522.tif 000009
【図８】
2004505522.tif 000010
【国際公開パンフレット】
2004505522.tif 000011
2004505522.tif 000012
2004505522.tif 000013
2004505522.tif 000014
2004505522.tif 000015
2004505522.tif 000016
2004505522.tif 000017
2004505522.tif 000018
2004505522.tif 000019
2004505522.tif 000020
2004505522.tif 000021
2004505522.tif 000022
2004505522.tif 000023
2004505522.tif 000024
2004505522.tif 000025
2004505522.tif 000026
【国際公開パンフレット（コレクトバージョン）】
2004505522.tif 000027
2004505522.tif 000028
【国際公開パンフレット（コレクトバージョン）】
2004505522.tif 000029
2004505522.tif 000030
【国際調査報告】
2004505522.tif 000031
2004505522.tif 000032
2004505522.tif 000033
2004505522.tif 000034
2004505522.tif 000035
2004505522.tif 000036